(57)【要約】【課題】 分離可能な形態の刺激兼用出血部材と鍼の長さ調節具とを螺合する方法をもって一体型の鍼の固定体を構成し、前記鍼の長さ調節具の選択的な操作によって肉眼で確認しながら鍼の長さを簡単かつ正確に調節するとともに前記鍼の固定体を鍼の長さ調節機能のない一般の出血鍼管に装着する簡単な方法により鍼の長さを調節して使うことができる汎用性を提供する。【解決手段】  打撃部材の下端に選択的に挟まれ上・下部の両端に刺激突起及び出血鍼が夫々配設された刺激兼用出血部材と、前記刺激兼用出血部材と螺合され選択的な操作によって内部を貫いて外部へ突き出される出血鍼の鍼の長さを調節する鍼の長さ調節具とを備える。【選択図】図３
2006212412.tif 000002
【特許請求の範囲】
【請求項１】
躯体２の下端に開放口３が形成された下部カバー４が螺合され、上部作動具５の押し操作によって内部に配設された打撃部材６が出血鍼を外部へ突き出させ皮膚刺入を通して出血させる出血鍼管１において、前記打撃部材６の下端に選択的に挟まれる刺激兼用出血部材１０と、また前記刺激兼用出血部材１０と螺合され選択的な操作によって内部を貫いて外部へ突き出される出血鍼１４の鍼の長さを調節するようにする鍼の長さ調節具２０からなることを特徴とする出血鍼管の鍼の長さ調節装置。
【請求項２】
刺激兼用出血部材１０は上部に補強肉１１が形成され、前記補強肉１１の上端に刺激突起１２が配設され、下部には螺合するためのねじ部１３が形成され、前記ねじ部１３の下端には出血鍼１４が配設されたことを特徴とする請求項１記載の出血鍼管の鍼の長さ調節装置。
【請求項３】
刺激兼用出血部材１０は出血鍼１４の外部を囲むように鍼の保護具１５が取付けられ、前記鍼の保護具１５はねじ部１３との接触部位に切開部１６が形成され、下端には鍼の保護具１５を拗りながら分離するための頭部１７が形成されたリフィルできる形態に供給されることを特徴とする請求項２記載の出血鍼管の鍼の長さ調節装置。
【請求項４】
鍼の長さ調節具２０は内部に出血鍼１４が貫くように通孔２１が形成され、前記通孔２１の上部には螺合するためのねじ部２３が形成され、また下端には刺激突起２２が一体に形成されたことを特徴とする請求項１記載の出血鍼管の鍼の長さ調節装置。
【請求項５】
通孔２１は鍼の固定体８に収納された出血鍼１４を外部へ引き出す時に案内の役割をする安内面２５がねじ部２３から刺激突起２２の方向に近付くことによって漸進的に直径が小くなる形態に形成されたことを特徴とする請求項４記載の出血鍼管の鍼の長さ調節装置。
【請求項６】
刺激兼用出血部材１０に形成された刺激突起１２は強刺激を加えるよう皮膚に接触される接触面積が狭い断面積を有するように形成される一方、鍼の長さ調節具２０に形成された刺激突起２２は弱刺激を加えるよう、皮膚に接触される接触面積が広い断面積を有するように形成されることを特徴とする請求項２又は請求項４記載の出血鍼管の鍼の長さ調節装置。
【請求項７】
打撃部材６の下端には弱者劇詩刺激兼用出血部材１０が挟まれ鍼の長さ調節具２０の刺激突起２２が皮膚に向けるように使われる一方、強く刺激する時には打撃部材６の下端に鍼の長さ調節具２０が挟まれ刺激兼用出血部材１０の刺激突起１２は皮膚に向けるように使われて皮膚刺激の強・弱調節ができることを特徴とする請求項１記載の出血鍼管の鍼の長さ調節装置。
【請求項８】
刺激突起２２の外周には鍼の長さ調節具２０に収納される出血鍼１４の収納された深みを確認するための多数の透視溝２６が放射状に通孔２１と連通されるように形成されたことを特徴とする請求項４記載の出血鍼管の鍼の長さ調節装置。
【発明の詳細な説明】
【技術分野】
【０００１】
本発明は出血鍼による応急処置と刺激突起の皮膚刺激による疲れの回復や予防を複合的に施行することができる出血鍼管に関するもので、より詳しくは、鍼の固定体が刺激兼用出血部材と鍼の長さ調節具の螺合からなり肉眼で確認しながら正確に鍼の長さを調節と、かつ、鍼の長さ調節機能のない一般の出血鍼管に前記鍼の固定体を選択的に結合して使えるとともに、皮膚刺激を弱刺激や強刺激に区分して実施する出血鍼管の鍼の長さ調節装置に関するものである。
【背景技術】
【０００２】
従来の出血鍼管としては本発明の出願人が先出願した２件の実用新案登録出願に提案されているが前記前者の考案は出血鍼の消毒が容易で皮膚に刺入される鍼の長さ調節が容易という特徴がある。また、後者の考案は痛症部位を迅速で痛症なしに正確に出血させることができるとともに鍼の刺入状態を維持し、スプリングが外部へ露出しなく美麗さを提供する特徴がある。
しかしながら、前記２件の先出願考案を始めとしたその他すべての出血鍼管は出血作用のみを単独で実施するだけであって、他の用途としては使うことができなかった。したがって、特に全身が凝ったりストレスがたまる場合は、手指鍼療法によって主に手の甲や指などに打棒や刺激を与え疲れ及びストレスを解消したり数個の山状突起が形成された指圧棒、圧診棒などの圧棒及び打鍼、ローラー鍼などを利用して手の甲や指に打棒刺激を与え疲れを予防、回復させストレスを解いてくれるものであった。
【０００３】
ここで、前記手指鍼療法の場合効果は優れているが上達していない人が打つ場合はかえって人体に害を被るようになり、圧棒や打鍼、ローラー鍼などの場合は手指鍼のように皮膚中に刺入せずに外被から打棒や刺激を与えるようになり皮膚深く刺激が到逹しなく刺激効果が落ちるという問題点が発生していた。
【０００４】
なお、上述した出血作用や皮膚の打棒や刺激を複合的に実施することができる出血鍼管は従来はなかったので二つの効果を得ようとする場合は、必ず出血鍼管と別の皮膚刺激器を具備しなければならないという問題点があった。
【０００５】
前記のような問題点を解決する方案として本発明の出願人は出血作用と皮膚の打棒や刺激を一つの器具により選択的に実施できる出血鍼管の鍼の長さ調節装置を実用新案登録出願第２０００-１０３７９号に先出願したことがある。
【０００６】
しかし、前記先出願考案は多様な効能を持っていたが多少の改善点を内包していた。
第一、出血鍼と刺激突起が同時に具備される鍼の固定体が一体型で構成されることによって前記鍼の固定体は自体的に皮膚に刺入される鍼の長さを調節することができなかった。その故に、前記鍼の固定体を鍼の長さ調節機能が具備された出血鍼管に装着して使う場合は別に問題がなっかたが、鍼の長さ調節機能のない出血鍼管に装着して使う場合は多少不便であるとともに正確かつ円滑な鍼の刺入が行われないという問題点が惹起される。
【０００７】
第二、出血鍼を使う場合鍼保護具を分離させて使うのが慣例だが前記鍼保護具はサイズが極めて小さく紛失する恐れが常にあるだけではなく、出血作業が終わった後前記鍼保護具を元の状態に挟んで出血鍼を保護する作業は煩わしいだけではなく、衛生的にも好ましくない。
【０００８】
第三、前記刺激突起は皮膚刺激強度を調節することができないし、ただ一律的に一定強度で皮膚を刺激することによって刺激の効果が低減されるものであった。
【０００９】
第四、前記出血鍼から鍼保護具を分離させる場合、鍼保護具を一側に折って分離させる過程で出血鍼に指が突き刺され負傷を負う事が度々発生していた。
【００１０】
【特許文献１】実用新案登録出願第２０００-２４８１号
【特許文献２】実用新案登録出願第２０００-１５２４３号
【発明の開示】
【発明が解決しようとする課題】
【００１１】
本発明は、上述した先出願考案から惹起される問題点を積極的に解消するために連続的に提案される改良発明に関するもので、分離可能な形態の刺激兼用出血部材と鍼の長さ調節具と、を螺合する方法により一体型の鍼の固定体を構成し前記鍼の長さ調節具の選択的な操作によって肉眼で確認しながら鍼の長さを簡単かつ正確に調節するとともに、前記鍼の固定体を鍼の長さ調節機能がない一般出血鍼管に装着する簡単な方法により鍼の長さを調節して使うことができる汎用性を提供することを発明の主な目的とする。
【００１２】
本発明の他の目的は、前記出血鍼を鍼の固定体の内部に完全に収納して別の鍼保護具を具備したり紛失する恐れもなく、また、収納された出血鍼を引き出す時に不要な負傷を負わないようにするものである。
【００１３】
本発明のさらに他の目的は前記鍼の固定体の上・下部両端に夫々規格の違う刺激突起を形成し選択的に皮膚に強刺激及び弱刺激を加え刺激効能を倍加させることができるようにするものである。
【００１４】
所期の目的を達成するための本発明は、上・下部両端に刺激突起及び出血鍼が夫々配設された刺激兼用出血部材と前記刺激兼用出血部材と、が螺合され選択的な操作によって内部を貫いて外部へ突き出される出血鍼の鍼の長さを調節する鍼の長さ調節具を具備する。
【課題を解決するための手段】
【００１５】
前記従来技術の課題を解決するための本発明は、躯体２の下端に開放口３が形成された下部カバー４が螺合され、上部作動具５の押し操作によって内部に配設された打撃部材６が出血鍼を外部へ突き出させ皮膚刺入を通して出血させる出血鍼管１において、前記打撃部材６の下端に選択的に挟まれる刺激兼用出血部材１０と、また前記刺激兼用出血部材１０と螺合され選択的な操作によって内部を貫いて外部へ突き出される出血鍼１４の鍼の長さを調節するようにする鍼の長さ調節具２０とからなることを特徴とする。
【発明の効果】
【００１６】
本発明は、鍼の固定体が分離可能な形態の刺激兼用出血部材と、鍼の長さ調節具の螺合を通して一体として構成されることよって、前記鍼の長さ調節具の選択的な操作によって肉眼で確認しながら鍼の長さを簡単かつ正確に調節するとともに前記鍼の固定体を鍼の長さ調節機能のない一般の出血鍼管に装着し鍼の長さの調節を可能にする使用上の汎用性を提供する効果がある。
【００１７】
また、前記鍼の固定体に出血鍼を選択的に収納したり引き出すことができ別の保護カバーが不要とともに使いやすく、かつ非常に衛生的だけではなく出血鍼を引き出す際に負傷を負うおそれがなくなる。なお、基本的な出血機能を遂行するとともに皮膚に加える打棒や刺激を選択的に強・弱を調節して加えることによって皮膚刺激の効能を倍加させる効果を提供するようになる。
【発明を実施するための最良の形態】
【００１８】
以下、本発明の目的を効果的に達成するための好ましい実施例に対して説明する。本発明の出血鍼管１は鍼の固定体８が出血作用と皮膚刺激の兼用機能とを有する刺激兼用出血部材１０と鍼の長さ調節具２０の螺合により構成されることによって、自体的な鍼の長さ調節はもちろん前記鍼の固定体８を他のすべての出血鍼管１に装着し鍼の長さ調節機能を付与するようにすることを特徴とし、前記鍼の固定体８に出血鍼１４を選択的に収納したり引き出すことができ使いやすくて負傷の恐れもなく非常に衛生的であることを特徴とし、皮膚刺激を選択的に強・弱に調節して加えることができることを主な要旨とする。
【００１９】
上述した主な要旨を達成するために本発明は、図１乃至図２のごとく躯体２の下端に開放口３が形成された下部カバー４が螺合され、上部作動具５の押し操作によって内部に配設された打撃部材６が出血鍼を外部へ突き出して皮膚刺入を通して出血させる出血鍼管１において、前記打撃部材６の下端に選択的に挟まれる刺激兼用出血部材１０と、また前記刺激兼用出血部材１０と螺合され選択的な操作によって出血鍼１４の鍼の長さを調節するようにする鍼の長さ調節具２０と、から構成されることがわかる。
【００２０】
以下、前記概略的な構成からなる本発明を実施することができるよう、より詳しく説明する。
本発明は前記打撃部材６に挟まれる鍼の固定体８が従来のように一体型で構成されることから脱皮して分離可能な刺激兼用出血部材１０と、鍼の長さ調節具２０の螺合を通して構成されることを核心的な技術とする。
【００２１】
このような刺激兼用出血部材１０は作動具５の押し操作によって瞬間的に下降して出血鍼を外部へ突き出した後、元の状態に復帰する打撃部材６の下部に挟まれるもので、上部に補強肉１１が形成され補強肉１１の上端には皮膚に打棒や刺激を加える刺激突起１２が突き出されるように一体として付着する。そして前記補強肉１１と対応された下部には鍼の長さ調節具２０と螺合するためのねじ部１３が形成され、またこのねじ部１３の下端には出血機能を有する出血鍼１４が一体として配設される。
【００２２】
ここで前記刺激突起１２は比較的に、皮膚に強い刺激を加える場合に使うためのもので、
皮膚に接触される接触面積の狭い断面積を持つように形成されるとともに一定の強度を保有するように製作されることがより好ましい。
【００２３】
上述した出血鍼１４の鍼の長さ調節ができるようにする鍼の長さ調節具２０は内部に前記出血鍼１４が貫いて外部へ突き出されることができるよう、通孔２１が形成され、また前記通孔２１の上部には刺激兼用出血部材１０のねじ部１３と螺合するためのさらに他のねじ部２３が形成される。それから下端には刺激突起２２が形成される。
【００２４】
前記刺激突起２２は出血鍼１４が鍼の固定体８の内部に収納された状態で比較的に皮膚に弱い刺激を加える場合に使うためのもので、皮膚に接触される面積が刺激兼用出血部材１０の刺激突起１２より広い断面積を持つよう形成されることが好ましく、前記刺激突起２２は皮膚刺激の役目とともに出血鍼１４が流動しないよう把持する役割もする。
【００２５】
すなわち、皮膚に弱い刺激を加える場合は刺激兼用出血部材１０の刺激突起１２側を打撃部材６の下端に挟んだ状態で図７のごとく鍼の長さ調節具２０の刺激突起２２が皮膚に向けるようにして使うことができるとともに、強い刺激を加える場合は打撃部材６の下端に鍼の長さ調節具２０の刺激突起２２を挟んだ状態で図８のごとく刺激兼用出血部材１０の刺激突起１２が皮膚に向けるようにして使うことができるようになる。
【００２６】
上述した刺激突起１２、２２は本発明で刺激兼用出血部材１０に形成された刺激突起１２が強刺激を加えるように実施されるし、鍼の長さ調節具２０に形成された刺激突起２２は弱刺激を加えるように実施されたが必ずこれに限るものではなく、強・弱刺激の位置を異にして配設することができるものである。すなわち、上述した刺激突起１２、２２の強・弱位置を異にするだけでは本発明の範疇から脱することができなくなる。
【００２７】
一方、前記鍼の長さ調節具２０に形成される通孔２１は鍼の固定体８に完全に収納された状態の出血鍼１４を外部へ引き出す場合よりなだらかに引き出すことができるよう、案内の役割を遂行する安内面２５がねじ部２３から刺激突起２２の方向に近付くことによって漸進的に直径が小くなる形態に形成される。
【００２８】
また本発明の鍼の固定体８は、刺激兼用出血部材１０と鍼の長さ調節具２０の密着部位が図４のごとく打撃部材６の内側に囲まれるよう挟まることによって、人為的でないと鍼の固定体８が上・下に流動されたり螺合が外される事がなくなる。
【００２９】
上述した本発明の刺激兼用出血部材１０は、衛生を考慮して出血鍼１４を多くの数回使うことができない特性上、リフィルできるよう単品の形態として供給される。そのために図９のごとく出血鍼１４を囲むよう鍼の保護具１５が外側に取付けられ前記鍼の保護具１５はねじ部１３との接触部位に切開部１６が形成され、下端には鍼の保護具１５を拗りながら分離するように頭部１７が形成される。したがって、前記鍼の保護具１５は出血鍼１４を外部と遮断し衛生的な状態を維持するとともに使用時は用意に分離して使うことができるようになる。
【００３０】
このような構成からなる本発明による鍼の長さの調節状態及び出血作用と強・弱調節による皮膚の打棒や刺激作用に対して順に説明する事にする。まずは、鍼の長さを調節する方法は図５のごとく鍼の長さ調節具２０をある一方向に外してくれれば鍼の長さ調節具２０が刺激兼用出血部材１０から遠くなることによって鍼の長さ調節具２０を貫いて外部へ突き出される出血鍼１４の長さが短くなり、反対に鍼の長さ調節具２０を締めてくれれば鍼の長さ調節具２０が刺激兼用出血部材１０に近付くことによって、出血鍼１４の突き出された長さが長くなるようになる。
【００３１】
したがって、使用者の選択によって鍼の固定体８から自体的に外部へ突き出される出血鍼１４の長さを肉眼で確認しながら正確かつ適正な状態に調節して使うことができるとともに、このような状態で図６のごとく出血作動時に出血鍼１４が皮膚に刺入される瞬間、鍼の長さ調節具２０の刺激突起２２が瞬間的に皮膚を打撃して出血鍼１４の刺入による痛症を緩めるという付随的な役割を遂行する。すなわち通常的に注射を打つ場合、瞬間的な痛症を緩めるために看護婦が手の平で皮膚をたたいてから注射を打つ場合と同様である。
【００３２】
前記のごとく自体的な鍼の長さ調節が可能な鍼の固定体８は、出血鍼管１の躯体２に鍼の長さ調節機能が具備されたものに装着して使うことができるとともに鍼の長さ調節機能が具備されることができなかった一般の出血鍼管１にも簡便に装着して鍼の長さの調節ができる鍼の長さ調節機能を提供するようになる。
【００３３】
次に、皮膚の打棒や刺激方法に対してよく見れば比較的に弱く刺激する際には鍼の長さ調節具２０を最大限外してくれて出血鍼１４が鍼の長さ調節具２０の内部に完全に収納されるようにした後図７のごとく鍼の長さ調節具２０の刺激突起２２が皮膚に向けるようにし皮膚に弱い打棒や刺激を加えることができるようになる。
【００３４】
また、比較的に強い刺激を加える場合は打撃部材６から鍼の固定体８を分離させた後図８のごとく刺激兼用出血部材１０の刺激突起１２が下部に向けるよう、前記鍼の固定体８を打撃部材６に結合させて皮膚に強い打棒や刺激を選択的に加えることによって、皮膚刺激の効能を倍加させることができるようになる。
【００３５】
一方、図１０は本発明の他の実施例に関するもので、鍼の長さ調節具２０に形成された刺激突起２２の外周に放射状に通孔２１と連通されるよう、多数の透視溝２６が形成される。したがって、前記透視溝２６を通して鍼の長さ調節具２０の内部に収納される出血鍼１４の収納された深みを肉眼で確認することができ、鍼の長さを調節することもより便利になる。
【図面の簡単な説明】
【００３６】
【図１】本発明出血鍼管の斜視図である。
【図２】発明出血鍼管の分解斜視図である。
【図３】本発明の打撃部材及び鍼の固定体の分解斜視図である。
【図４】本発明の打撃部材及び鍼の固定体の結合状態を示す縦断面図である。
【図５】本発明鍼の長さ調節具による鍼の長さ調節を示す状態図である。
【図６】本発明出血鍼による出血状態を示す一例示図である。
【図７】本発明の刺激兼用出血部材による弱刺激状態を示す一例示図である。
【図８】本発明の鍼の長さ調節具による強刺激状態を示す一例示図である。
【図９】本発明の出血鍼に鍼保護具が取付けられた状態を示す縦断面図である。
【図１０】本発明の鍼の長さ調節具の刺激突起に透視溝が形成された他の実施例の正面図である。
【符号の説明】
【００３７】
１… 出血鍼管
６… 打撃部材
８… 鍼の固定体
１０… 刺激兼用出血部材
１１… 補強肉
１２、２２… 刺激突起
１３、２３… ねじ部
１４… 出血鍼
１５… 鍼の保護具
２０… 鍼の長さ調節具
２５… 安内面
２６… 透視溝
【図１】
2006212412.tif 000003
【図２】
2006212412.tif 000004
【図３】
2006212412.tif 000005
【図４】
2006212412.tif 000006
【図５】
2006212412.tif 000007
【図６】
2006212412.tif 000008
【図７】
2006212412.tif 000009
【図８】
2006212412.tif 000010
【図９】
2006212412.tif 000011
【図１０】
2006212412.tif 000012